(57)【要約】【課題】本発明は、チェンジレバーがサブゲート内に入っている間、変速機切換部材が振動等で単独で回動しないように規制するものであって、部品点数が多くなることのない自動変速機のシフト装置の提供を目的とする。【解決手段】ゲート用プレートは、プレート本体よりも軟らかい軟質材から構成された補助プレート７を備え、この補助プレート７に、一体的に形成された弾性を有する係止片７２が設けられている。一方、変速機切換部材３の切換部材本体３０の上面に、係止部３４が設けられている。この係止部３４は、チェンジレバー４がドライブレンジにきたときに、係止片７２と係止し、ドライブレンジからメインゲートの他のレンジへのチェンジレバー４の移動に伴う切換部材本体３０の回動に際して係止片７２との係止が外れる。【選択図】図６
2010280348.tif 000002
【特許請求の範囲】
【請求項１】
メインゲート及びサブゲートを有するゲート用プレートと、そのゲート用プレートの下方側にゲート用プレートに対して回動可能に配設された変速機切換部材と、その変速機切換部材と連結・連結解除可能に連結されたチェンジレバーとを備え、前記チェンジレバーを、前記メインゲートに設けられたドライブレンジから前記サブゲートに移動操作することにより、前記チェンジレバーと変速機切換部材との両者の連結が解除してマニュアルモード状態にでき、前記チェンジレバーを、そのサブゲートから前記ドライブレンジに戻すことにより前記両者が再度連結してオートモード状態に戻すことができるようにした自動変速機のシフト装置であって、
前記変速機切換部材とゲート用プレートとのいずれか一方に、当該一方と一体的に形成された弾性を有する係止片が設けられ、
前記いずれか他方に、前記係止片と係脱自在に係止する係止部が設けられ、
前記係止片は、前記チェンジレバーが前記ドライブレンジにきたときに、前記係止部と係止するとともに、前記チェンジレバーが前記ドライブレンジから前記メインゲートに設けられたドライブレンジ以外の他のレンジへ移動されるに伴う変速機切換部材の回動に際して前記係止部との係止が外れるように構成されていることを特徴とする自動変速機のシフト装置。
【請求項２】
前記ゲート用プレートは、前記メインゲート及びサブゲートを有するプレート本体と、そのプレート本体に積層された補助プレートとを備え、
前記補助プレートは、前記メインゲート及びサブゲートに対応し前記チェンジレバーがそれらのゲートを移動するに際して当接するように配置された消音用ゲートを備えているとともに、前記プレート本体よりも軟らかい軟質材から構成され、
前記係止片は、前記補助プレートから一体的に下方側に突設され、
前記係止部は、前記変速機切換部材の上面の一部に、その変速機切換部材の回動に際して前記係止片の下端と係脱できるように構成されていることを特徴とする請求項１記載の自動変速機のシフト装置。
【発明の詳細な説明】
【技術分野】
【０００１】
本発明は、自動車等の車両に用いられる自動変速機のシフト装置に関するものである。
【背景技術】
【０００２】
従来から、自動車等の車両に用いられる自動変速機のシフト装置は広く知られている。又、自動変速機のシフト装置において、オートモードからマニュアルモードに適宜切り換えられるようにしたものも広く知られている。このマニュアルモードに切り換え可能な自動変速機のシフト装置として、例えば特許文献１に提案されたものがある。このものは、メインゲート及びサブゲートを有するゲート用プレートと、そのゲート用プレートの下方側にそのゲート用プレートに対して前後方向に回動可能に配設され車両に設けられた変速機にケーブルを介して連結された変速機切換部材（ガイドブラケット）と、変速機切換部材に連結・連結解除可能に連結された前後及び左右方向に回動可能なチェンジレバー（シフトレバー）とを備える。そして、チェンジレバーを、前記メインゲートに設けられたドライブレンジから右側方側のサブゲートに移動操作すると、チェンジレバーに設けられた連結片としてのブロック体が、変速機切換部材に設けられた連結部としての保持溝から外れ、チェンジレバーと変速機切換部材との両者の連結が解除してマニュアルモード状態にできる。又、チェンジレバーを、そのサブゲートから左側方側のドライブレンジに移動操作すると、ブロック体が保持溝に入り込み両者が連結する。この両者の連結状態で、オートモード状態になり、チェンジレバーがメインゲートのドライブレンジからメインゲート内の他のレンジに移動操作されると、それに伴い変速機切換部材が前後方向に回動しその回動に際してケーブルを押引操作して自動変速機を切換操作する。
【先行技術文献】
【特許文献】
【０００３】
【特許文献１】特開２００７−２３０４２４号公報
【発明の概要】
【発明が解決しようとする課題】
【０００４】
しかしながら、チェンジレバーの連結片と変速機切換部材の連結部との連結が解除された状態では、変速機切換部材は、チェンジレバーに拘束されていないため、チェンジレバーがサブゲート内に入っている間に、振動等によって単独で前後方向に回動するおそれがある。変速機切換部材が振動等によって単独で回動すると、チェンジレバーの連結片と変速機切換部材の連結部とが位置ずれしてしまい、チェンジレバーをサブゲートからメインゲートに戻す際に、両者を連結できなくなってしまう。従って、チェンジレバーがサブゲート内に入っている間、変速機切換部材が振動等によって単独で回動しないように規制する必要がある。
【０００５】
かかる場合、例えば変速機切換部材を、チェンジレバーの連結片と変速機切換部材の連結部との連結が外れる位置、即ち、チェンジレバーがメインゲートのドライブレンジにきた位置で、変速機切換部材を板バネ等で押えておくことも考えられる。しかし、板バネ等を付設したのでは、部品点数が多くなるとともに、板バネの組み付け工程が付加されてしまう。
【０００６】
本発明は、チェンジレバーがサブゲート内に入っている間、変速機切換部材が振動等で単独で回動しないように規制するものであって、部品点数が多くなることのない自動変速機のシフト装置の提供を目的とする。
【課題を解決するための手段】
【０００７】
上記課題を解決するため、請求項１の発明は、メインゲート及びサブゲートを有するゲート用プレートと、そのゲート用プレートの下方側にゲート用プレートに対して回動可能に配設された変速機切換部材と、その変速機切換部材と連結・連結解除可能に連結されたチェンジレバーとを備え、前記チェンジレバーを、前記メインゲートに設けられたドライブレンジから前記サブゲートに移動操作することにより、前記チェンジレバーと変速機切換部材との両者の連結が解除してマニュアルモード状態にでき、前記チェンジレバーを、そのサブゲートから前記ドライブレンジに戻すことにより前記両者が再度連結してオートモード状態に戻すことができるようにした自動変速機のシフト装置であって、前記変速機切換部材とゲート用プレートとのいずれか一方に、当該一方と一体的に形成された弾性を有する係止片が設けられ、前記いずれか他方に、前記係止片と係脱自在に係止する係止部が設けられ、前記係止片は、前記チェンジレバーが前記ドライブレンジにきたときに、前記係止部と係止するとともに、前記チェンジレバーが前記ドライブレンジから前記メインゲートに設けられたドライブレンジ以外の他のレンジへ移動されるに伴う変速機切換部材の回動に際して前記係止部との係止が外れるように構成されていることを特徴とする自動変速機のシフト装置を提供する。
【０００８】
請求項２の発明は、請求項１に発明において、前記ゲート用プレートが、前記メインゲート及びサブゲートを有するプレート本体と、そのプレート本体に積層された補助プレートとを備え、前記補助プレートは、前記メインゲート及びサブゲートに対応し前記チェンジレバーがそれらのゲートを移動するに際して当接するように配置された消音用ゲートを備えているとともに、前記プレート本体よりも軟らかい軟質材から構成され、前記係止片は、前記補助プレートから一体的に下方側に突設され、前記係止部は、前記変速機切換部材の上面の一部に、その変速機切換部材の回動に際して前記係止片の下端と係脱できるように構成されていることを特徴とするものである。
【発明の効果】
【０００９】
本発明の請求項１によれば、変速機切換部材とゲート用プレートとのいずれか一方に設けられた係止片は、チェンジレバーがドライブレンジにきたときに、他方に設けられた係止部と係止し、又、チェンジレバーがドライブレンジからメインゲート内の他のレンジへ移動されるに伴う変速機切換部材の回動に際して係止部との係止が外れるように構成されている。
【００１０】
これにより、チェンジレバーがドライブレンジからサブゲートに移動してチェンジレバーと変速機切換部材との連結が解除した場合でも、係止片と係止部とが係止しているため、変速機切換部材が振動等によって勝手に回動するようなことを防止できる。従って、チェンジレバーがサブゲートからドライブレンジに移動させる際におけるチェンジレバーと変速機切換部材との両者の位置ずれを防止でき、両者の連結を円滑に行わせることができる。
【００１１】
又、係止片を、変速機切換部材とゲート用プレートとのいずれか一方に、当該一方と一体的に形成しているため、係止片を、変速機切換部材またはゲート用プレートと別途に製作しなくても、変速機切換部材またはゲート用プレートを製作するに際して同時に係止片を製作でき、製作容易なものにできる。しかも、変速機切換部材又はゲート用プレートへの組み付け作業を不要にできるとともに、部品点数を少なくできる。
【００１２】
請求項２によれば、ゲート用プレートを、プレート本体と、補助プレートとを備えたものにし、補助プレートを、メインゲート及びサブゲートに対応しチェンジレバーが当接するように配置された消音用ゲートを備えたものにするとともに、プレート本体よりも柔らかい柔軟材から構成する。
【００１３】
これにより、チェンジレバーを、ゲート用プレートのメインゲートやサブゲートに沿って移動させる際にチェンジレバーを消音用ゲートに当てることができ、衝突音を抑えることができる。
【００１４】
又、係止片を、その補助プレートから一体的に下方側に突設されるようにして弾性を有するものとしているため、補助プレートの製作に際して同時に形成でき、製作容易なものにできる。しかも、係止片を、撓み易いものにすることもでき、変速機切換部材の回動に際して係止部と係脱し易いものにできる。
【図面の簡単な説明】
【００１５】
【図１】本発明の一実施の形態の自動変速機のシフト装置の要部の分解斜視図である。
【図２】チェンジレバーがメインゲートのパーキングレンジにきた状態の自動変速機のシフト装置の要部の斜視図である。
【図３】図２の状態における切換部材本体と補助プレートとの位置関係を示す側面図である。
【図４】図２の状態における切換部材本体とチェンジレバーとの位置関係を示す斜視図である。
【図５】チェンジレバーがサブゲートにきた状態の自動変速機のシフト装置の要部の斜視図である。
【図６】図５の状態における切換部材本体と補助プレートとの位置関係を示す側面図である。
【図７】図５の状態における切換部材本体とチェンジレバーとの位置関係を示す斜視図である。
【発明を実施するための形態】
【００１６】
以下、本発明を実施するための最良の形態について、図面を参照しながら詳細に説明する。図１は、本発明の一実施の形態の自動変速機のシフト装置の要部の分解斜視図、図２は、チェンジレバーがパーキングレンジにきた状態の自動変速機のシフト装置の斜視図である。尚、図のＸ方向が前方を示し、Ｙ方向が後方を示している。又、Ｚ方向が左方を示し、Ｗ方向が右方を示している。
【００１７】
この実施形態の自動変速機のシフト装置１は、自動車用のものとされており、図１、図２に示すように、車体に固定される装置本体２と、変速機切換部材３と、チェンジレバー４と、ゲート用プレート５とを備えている。
【００１８】
変速機切換部材３は、この実施形態では、図３、図４に示すように、板状の切換部材本体３０と、チェンジレバー４を保持するレバー保持部３５と、この変速機切換部材３を装置本体２に取り付ける軸部３６ａ、３６ｂとを備えている。
【００１９】
切換部材本体３０の上前部側には、ケーブル１０（図１に図示）の一端と連結されるケーブル連結部３３が設けられている。このケーブル１０の他端は、車両に設けられた自動変速機（図示せず）と連結されており、変速機切換部材３は、このケーブル１０を介して自動変速機と連結される。
【００２０】
又、切換部材本体３０の上面における前部側に、後述のゲート用プレート５に設けられた係止片７２を係止する係止部３４が設けられている。この実施形態の係止部３４は、係止凹部３４ａと、その前側方側に、切換部材本体３０の上面から上方に突設された突出壁３４ｂとを備えている。
【００２１】
また、切換部材本体３０の上部側における略前後中央には、板厚方向の左右方向（Ｚ−Ｗ方向）に貫通するようにあけられた四角形状の連結孔３２が設けられている。
【００２２】
レバー保持部３５は、この実施形態では、切換部材本体３０の図４のＷ方向側の右側方側（一側方側）に、切換部材本体３０と一体的に突出形成されている。
【００２３】
又、このレバー保持部３５は、上部側に開口部３５ａを有する略球状の球状収納部３５ｂを有している。また、レバー保持部３５は、複数のスリット３５ｃを備え、これらのスリット３５ｃによって、レバー保持部３５の上部側が弾性を有する複数の小に分割されている。
【００２４】
これにより、開口部３５ｂが拡大して後述のチェンジレバー４の球状部４２を球状収納部３５ｂに押し入れることができるとともに、入れた後は、元の状態に戻って回動自在に保持できるようになっている。
【００２５】
軸部３６ａ、３６ｂは、図４に示すように第１軸部３６ａと、第２軸部３６ｂとを備えている。第１軸部３６ａは、切換部材本体３０の下端に、切換部材本体３０と一体的に形成されて切換部材本体３０から図のＺ方向の左側方側（図４の右側、他側方側）に突設されている。第２軸部３６ｂは、レバー保持部３５から図のＷ方向の右側方側に突設されている。
【００２６】
又、第１軸部３６ａと第２軸部３６ｂとは、同一の軸心Ｏ１を有する。また、この実施形態では、その軸心Ｏ１は、球状収納部３５ｂの中心Ｏ２を通るように形成されている。
【００２７】
そして、これらの第１軸部３６ａと第２軸部３６ｂとが装置本体２に回動自在に軸支されており、これにより、切換部材本体３０の上部が軸心Ｏ１を中心に前後方向（Ｘ−Ｙ方向）に回動可能とされる。
【００２８】
チェンジレバー４は、図１、図４に示すように、レバー軸４１と、レバー軸４１の下端に設けられた球状部４２と、レバー軸４１の上下方向の中間部に設けられた連結片４３とを備えている。
【００２９】
レバー軸４１は、長尺円柱状のものから構成されており、上端側の先端部に、図示しない操作把持部材が取り付けられ、その操作把持部材がドライバーに把持されて操作される。
【００３０】
球状部４２は、上記レバー保持部３５に保持される被保持部としてのもので、レバー保持部３５の球状収納部３５ｂ内に回動自在に入り込む大きさの球状のものからなる。
【００３１】
そして、この球状部４２は、球状収納部３５ｂに、その中心が球状収納部３５ｂの中心Ｏ２に一致しその中心Ｏ２回りに回動し得るように保持されている。これにより、チェンジレバー４の先端部が切換部材本体３０に対して前後方向及び左右方向（Ｚ−Ｗ方向）等に回動可能とされる。
【００３２】
連結片４３は、上記切換部材本体３０の連結孔３２に、入り込み可能な断面四角形状のものから構成され、レバー軸４１から切換部材本体３０側に所定長さだけ突出するように形成されている。
【００３３】
このように構成された連結片４３は、レバー軸４１がレバー保持部３５の球状収納部３５ｂに入れられた球状部４２を中心にして左右方向（Ｚ−Ｗ方向）に回動するに伴い上記切換部材本体３０の連結孔３２に出入りするようになっている。
【００３４】
ゲート用プレート５は、図１、図２に示すように板状のプレート本体６と、プレート本体６の上方側に積層されるように配設された板状の補助プレート７とを備えている。プレート本体６は、レバー軸４１を案内するゲート８、９を備えている。
【００３５】
この実施形態のゲート８、９は、オートモード状態でレバー軸４１を案内するメインゲート８と、マニュアルモード状態でレバー軸４１を案内するサブゲート９とを備えている。
【００３６】
メインゲート８は、パーキング（Ｐ）レンジ８１と、パーキング（Ｐ）レンジ８１と連通したリバース（Ｒ）レンジ８２と、リバース（Ｒ）レンジ８２と連通したニュートラル（Ｎ）レンジ８３と、ニュートラル（Ｎ）レンジ８３と連通したドライブ（Ｄ）レンジ８４とを備えている。
【００３７】
サブゲート９は、メインゲート８のドライブレンジ８４と連通路９０を介して連通されている。又、サブゲート９には、マイナスゲート９１と、プラスゲート９２とが設けられている。
【００３８】
又、この実施形態のプレート本体６には、プレート本体６から下方に延設された右側壁６１及び左側壁６２とが付設されている。そして、これらの下部が、装置本体２に固定されることにより、プレート本体６が装置本体２に固定される。
【００３９】
補助プレート７は、レバー軸４１がメインゲート８及びサブゲート９を移動する際に衝突音を抑える等のためのもので、プレート本体６よりも軟らかい柔軟材であって、レバー軸４１が衝突した場合に衝突音が発生し難いものから構成されている。この実施形態では、補助プレート７は、ウレタン系エラストマーから構成されている。
【００４０】
この補助プレート７には、上記メインゲート８及びサブゲート９に対応する消音用ゲート７１を備えている。この消音用ゲート７１は、図示しないが、上記メインゲート８及びサブゲート９よりもやや幅狭に形成されており、補助プレート７が上記メインゲート８及びサブゲート９の内周縁部に突出されている。これにより、レバー軸４１がメインゲート８及びサブゲート９を移動する際に、レバー軸４１がプレート７の消音用ゲート７１の側面に当接し、衝突音が発生し難いようになっている。
【００４１】
又、この補助プレート７には、図３に示すように弾性を有する係止片７２が設けられている。この実施形態の係止片７２は、補助プレート７と一体的に、補助プレート７の下面から所定長さで下方側に突出された断面円形状のものから構成されている。
【００４２】
このように構成された補助プレート７は、プレート本体６の上方側に積層された状態で、プレート本体６に固定される。又、係止片７２は、上記積層に際して、プレート本体６に設けられた孔（図示せず）に通され、切換部材本体３０の上面の上方側に配設されている。
【００４３】
より詳しくは、プレート本体６の孔を介してプレート本体６の下方側に配設された係止片７２は、図３に示すようにその下端側の先端が切換部材本体３０の上面における後方側の部分から所定距離だけ上方に隔てた上方位置に配設され、切換部材本体３０の回動に際して当該部分と当接しないようになっている。
【００４４】
一方、切換部材本体３０の回動に際して、係止片７２の下端側の先端と、突出壁３４ｂと当接するようになっている。
【００４５】
次に、本発明の動作について説明する。チェンジレバー４及び変速機切換部材３を、装置本体２に組み付ける場合は、例えばチェンジレバー４を変速機切換部材３に保持させ、その状態で変速機切換部材３を装置本体２に組み付けることができる。
【００４６】
従って、従来のようにチェンジレバー４と変速機切換部材３とを別個に装置本体２に組み付けなくても良く、組み付け作業を短時間で容易に行うことができる。
【００４７】
又、組み付けた後は、チェンジレバー４は、変速機切換部材３の球状収納部３５ｂの中心Ｏ２周りに回動するため、変速機切換部材３に対するチェンジレバー４の位置及び動きを常時一定にできる。
【００４８】
従って、メインゲートやサブゲートの各レンジ位置に対するチェンジレバーと変速機切換部材との両者の位置決めを容易なものにでき、各レンジ位置に対する両者の位置精度の向上を図ることができる。
【００４９】
チェンジレバー４のレバー軸４１が、メインゲート８のパーキング（Ｐ）レンジ８１にきた状態（図２に示す状態）では、図４に示すように、チェンジレバー４の連結片４３が切換部材本体３０の連結孔３２に入り込んだ状態になっており、両者は互いに連結している。
【００５０】
そして、チェンジレバー４のレバー軸４１がメインゲート８のパーキング（Ｐ）レンジ８１から後方側のリバース（Ｒ）レンジ８２に移動操作されると、上記連結状態を維持し、切換部材本体３０はチェンジレバー４の連結片４３に後方側に押圧されてレバー軸４１と共に後方側に回動しケーブル１０（図１参照）を引き操作して自動変速機をリバース状態に切り換える。
【００５１】
その際、チェンジレバー４の回動の中心となる変速機切換部材３の球状収納部３５ｂの中心Ｏ２と、切換部材本体３０の回動の中心となる軸心Ｏ１とが一致しているため（図４参照）、チェンジレバー４にかかる力を、全て切換部材本体３０を回動する力として伝達でき、切換部材本体３０を円滑に回動操作できる。
【００５２】
同様に、チェンジレバー４のレバー軸４１が、リバースレンジ８２から後方側のニュートラルレンジ８３、更に、ニュートラルレンジ８３からドライブレンジ８４側に順次、移動されると、上記連結状態を維持し、切換部材本体３０はチェンジレバー４の連結片４３に後方側に押圧されてレバー軸４１と共に後方側に回動しケーブル１０を引き操作して自動変速機をニュートラル、ドライブの各状態に切り換える。
【００５３】
又、チェンジレバー４のレバー軸４１がドライブレンジ８４にくる際に、切換部材本体３０の係止片７２と突出壁３４ｂとが当接し突出壁３４ｂが係止片７２の下端側の先端を後方側に押圧する。
【００５４】
これにより、係止片７２は、徐々に湾曲状に撓んでいき、突出壁３４ｂは、係止片７２を通過し、係止凹部３４に係止片７２を入り込ませる。この係止凹部３４に係止片７２が入り込んだ状態では、図６に示すように係止片７２の先端面が係止凹部３４のほぼ全体に当接した状態になる。
【００５５】
そして、チェンジレバー４のレバー軸４１が、図５に示すようにドライブレンジ８４から連通路９０を通って右方側のサブゲート９に入る際に、図７に示すようにチェンジレバー４の連結片４３が切換部材本体３０の連結孔３２から抜け出た状態になり、チェンジレバー４と切換部材本体３０との連結が解除された状態になる。
【００５６】
従って、この連結解除状態では、チェンジレバー４と切換部材本体３０とは連動せず、チェンジレバー４がサブゲート９を前後方向に移動しても、自動変速機はドライブ状態に維持される。
【００５７】
又、この状態では、切換部材本体３０の係止凹部３４にゲート用プレート５の係止片７２が入り込んだ状態になっているため、切換部材本体３０は、回動できずにその位置を維持する。
【００５８】
尚、この実施形態では、レバー軸４１が連通路９０に入ると、装置本体２に設けられた図示しないマニュアルモード検知手段によってマニュアルモードに入ったことを検知する。又、レバー軸４１が、サブゲート９のマイナスゲート９１に移動されると、装置本体２に設けられた図示しない検知手段によって検知され、その検知に基づいて、装置本体２に設けられた制御部が１回だけシフトダウンする。
【００５９】
一方、レバー軸４１が、サブゲート９のプラスゲート９２に移動されると、検知手段によって検知され、その検知に基づいて、制御部が１回だけシフトアップするようになっている。
【００６０】
その後、チェンジレバー４のレバー軸４１が、サブゲート９から連通路９０を通されてドライブレンジ８４に戻される際に、チェンジレバー４の連結片４３が切換部材本体３０の連結孔３２に再度入り、チェンジレバー４と切換部材本体３０とが再度連結状態になる。
【００６１】
その際、切換部材本体３０は、係止片７２と係止して連結解除した際の位置を維持しているため、連結片４３と連結孔３２とが位置ずれすることなく合致しており、連結片４３は連結孔３２に容易に入り込み、連結片４３が連結孔３２の周部に当たって入り込まないようなことを防止できる。
【００６２】
そして、チェンジレバー４のレバー軸４１がメインゲート８のドライブレンジ８４からニュートラルレンジ８３に移動操作されると、チェンジレバー４と連結した切換部材本体３０が上記とは反対側の前方側に回動する。
【００６３】
又、その回動に際し、係止部３４に係止していた係止片７２が徐々に湾曲状に撓んでいき、突出壁３４ｂが係止片７２を通過する。これにより、係止部３４と係止片７２との係止が解除する。
【００６４】
尚、上記実施形態では、ゲート用プレート５に係止片７２を設け、切換部材本体３０に、その係止片７２を係脱自在に係止する係止部３４を設けたが、この形態のものに限らず、適宜変更できる。例えば切換部材本体３０に係止片７２を設け、ゲート用プレート５に係止部３４を設けたものとしても良い。
【００６５】
又、上記実施形態では、係止片７２を、プレート本体６よりも軟らかい補助プレート７と一体に形成しているが、この形態のものに限らず、適宜変更できる。例えばプレート本体６と一体的に弾性を有するものに形成しても良い。ただし、上記実施形態のように係止片７２を補助プレート７と一体に形成すれば、プレート本体６と一体に形成する場合に較べて撓ませ易いものにでき、係止片７２を係止部３４に係脱する際の抵抗を小さくできる点で好ましい。
【符号の説明】
【００６６】
１    自動変速機のシフト装置
２    装置本体
３    変速機切換部材
４    チェンジレバー
５    ゲート用プレート
６    プレート本体
７    補助プレート
８    メインゲート
９    サブゲート
３４    係止部
３４ａ    係止凹部
３４ｂ    突出壁
７２    係止片
【図１】
2010280348.tif 000003
【図２】
2010280348.tif 000004
【図３】
2010280348.tif 000005
【図４】
2010280348.tif 000006
【図５】
2010280348.tif 000007
【図６】
2010280348.tif 000008
【図７】
2010280348.tif 000009